(57)【要約】【課題】情報記録媒体を用いて入出場処理を行う自動改札システム又は自動改札機において、書込未了の発生によって改札通路における利用者の円滑な通行を阻害してしまうことを抑制する。【解決手段】自動改札機２は、ＩＣカード１０から読み取った入出場データに基づいて利用者の入出場状態が適正であれば利用者の通行を許可し、ＩＣカード１０に新たな入出場データを書き込む。この書き込みに失敗すると書込未了発生通知を管理サーバ３に送信し、書込未了発生通知を受信した管理サーバ３は書込救済用データを含む書込未了救済通知を複数の自動改札機２の全部又は一部に送信する。書込未了救済通知を受信した自動改札機２は、前記書込救済用データを記録し、前記読み取った入出場データに基づいて利用者の入出場状態が適正でないと判定した場合に、前記書込救済用データに基づいて利用者の入出場状態の再判定を行う。【選択図】図１
2012022591.tif 000002
【特許請求の範囲】
【請求項１】
情報記録媒体から読み取った情報に基づいて入出場処理を行う複数の自動改札機と、
前記複数の自動改札機のそれぞれと情報の授受を行う管理サーバと、
を含む自動改札システムであって、
前記複数の自動改札機のそれぞれは、
利用者の情報記録媒体から識別情報及び入出場データを読み取る情報読取手段と、
前記情報読取手段によって読み取られた入出場データに基づいて利用者の入出場状態が適正であるか否かを判定し、利用者の入出場状態が適正であるときに利用者の通行を許可する判定手段と、
前記判定手段によって通行が許可された利用者の情報記録媒体に新たな入出場データを書き込む情報書込手段と、
前記情報書込手段による入出場データの書き込みに失敗したときに、書き込みに失敗して書込未了状態にある情報記録媒体の識別情報及び書き込みに失敗した入出場データである書込未了データを含む書込未了発生通知を前記管理サーバへと送信する一方、前記管理サーバから書込未了状態にある情報記録媒体の識別情報及び書込未了データを含む書込未了救済通知を受信する情報送受信手段と、
前記管理サーバから受信した前記書込未了救済通知に含まれる情報記録媒体の識別情報及び書込未了データを記録する情報記録手段と、
を備え、
前記判定手段は、前記情報読取手段によって読み取られた入出場データに基づいて利用者の入出場状態が適正でないと判定した場合において、前記情報読取手段によって読み取られた識別情報と一致する識別情報が前記情報記録手段に記録されているときには、前記情報読取手段によって読み取られた入出場データに代えて、前記情報記録手段に記録されている書込未了データに基づいて利用者の入出場状態が適正であるか否かを再判定し、
前記管理サーバは、前記複数の自動改札機の少なくとも一つからの前記書込未了発生通知を受信すると、該書込未了発生通知に含まれた書込未了状態にある情報記録媒体の識別情報及び書込未了データを含む前記書込未了救済通知を前記複数の自動改札機の全部又は一部に送信する、
自動改札システム。
【請求項２】
前記情報送受信手段は、前記判定手段による前記再判定によって利用者の入出場状態が適正であると判定されたときに、適正であると判定された利用者の情報記録媒体の識別情報を含む救済処理通知を前記管理サーバに送信し、
前記管理サーバは、前記情報送受信手段から前記救済処理通知を受信すると、該救済処理通知に含まれた情報記録媒体の識別情報を含む救済完了通知を前記複数の自動改札機の全部又は一部に送信し、
前記複数の自動改札機のそれぞれは、前記救済完了通知を受信すると、該救済完了通知に含まれる識別情報に基づいて前記情報記録手段に記録されている識別情報及び書込未了データを削除する、請求項１に記載の自動改札システム。
【請求項３】
前記複数の自動改札機のそれぞれにおいて、
前記情報読取手段及び前記情報書込手段は、送出したポーリングコマンドに対する応答を情報記録媒体から受信すると該情報記録媒体との間で相互認証を行い、その後、該情報記録媒体からの情報の読み取り及び該情報記録媒体への情報の書き込みが可能となるものであり、
前記情報書込手段による入出場データの書き込みに失敗したときに、書き込みに失敗したことを利用者に報知する報知手段をさらに備え、
前記情報読取手段及び前記情報書込手段は、前記報知手段の作動時に、書き込みに失敗した情報記録媒体に前記入出場データの再書き込みを行うための相互認証コマンドと、次の利用者の情報記録媒体を捕捉して処理するためのポーリングコマンドと、を交互に送信する、
請求項１又は２に記載の自動改札システム。
【請求項４】
前記複数の自動改札機のそれぞれは、
改札通路に設けられたドア部と、
前記判定手段によって利用者の入出場状態が適正でないと判定されたときに該利用者の通行を阻止するように前記ドア部を閉じる一方、前記入出場データの書き込みに失敗したときには前記ドア部を閉じないように前記ドア部を開閉制御するドア制御手段と、
をさらに備える、請求項１〜３のいずれか１つに記載の自動改札システム。
【請求項５】
前記入出場データは、入出場駅及び入出場日時を含む入出場情報と、電子通貨の残高とを含む請求項１〜４のいずれか１つに記載の自動改札システム。
【請求項６】
情報記録媒体から識別情報及び入出場データを読み取る情報読取手段と、
前記情報読取部によって読み取られた入出場データに基づいて利用者の入出場状態が適正であるか否かを判定し、利用者の入出場状態が適正であると判定したときに利用者の通行を許可する判定手段と、
前記判定手段により通行が許可された利用者の情報記録媒体に新たな入出場データを書き込む情報書込手段と、
外部から入力された情報記録媒体の識別情報及び該識別情報に関連付けられた入出場データを記録する情報記録手段と、
を備え、
前記判定手段は、前記情報読取手段によって読み取られた入出場データに基づいて利用者の入出場状態が適正でないと判定した場合において、前記情報読取手段によって読み取られた識別情報と一致する識別情報が前記情報記録手段に記録されているときには、前記情報読取手段によって読み取られた入出場データに代えて、前記情報記録手段に記録されている書込未了データに基づいて利用者の入出場状態が適正であるか否かを再判定する、
自動改札機。
【請求項７】
前記情報読取手段及び前記情報書込手段は、送出したポーリングコマンドに対する応答を情報記録媒体から受信すると該情報記録媒体との間で相互認証を行い、その後、該情報記録媒体からの情報の読み取り及び該情報記録媒体への情報の書き込みが可能となるものであり、
前記情報書込手段による入出場データの書き込みに失敗したときに、書き込みに失敗したことを利用者に報知する報知手段をさらに備え、
前記情報読取手段及び前記情報書込手段は、前記報知手段の作動時に、書き込みに失敗した情報記録媒体に前記入出場データの再書き込みを行うための相互認証コマンドと、次の利用者の情報記録媒体を捕捉して処理するためのポーリングコマンドと、を交互に送信する、請求項６に記載の自動改札機。
【発明の詳細な説明】
【技術分野】
【０００１】
本発明は、情報記録媒体に記録された情報に基づいて入場処理又は出場処理を行う自動改札システム及び自動改札機に関する。
【背景技術】
【０００２】
近年、駅の集改札口には無線通信機能を有するＩＣカード等の情報記録媒体を用いて入場処理又は出場処理（以下「入出場処理」という）を行う自動改札機が配置されている。この種の自動改札機は、利用者が所持する情報記録媒体を自動改札機の通信エリア内に位置させると、情報記録媒体から所定の情報を読み取り、その読み取った情報に基づいて利用者の通行を許可するか否かを判定する。そして、利用者の通行を許可できない場合には、改札通路に設けられたドアを閉じる等して利用者の通行を妨げ、通行を許可する場合には当該利用者の情報記録媒体に新たな情報を書き込む。
【０００３】
例えば、特許文献１には、利用者の情報記録媒体から読み取った情報に基づく演算処理の結果、入出場を許可できないとき又は入出場を許可できるときであっても書込未了が発生したときにはドアを閉じるように構成された自動改札機が開示されている。ここで、書込未了とは、例えば、情報記録媒体に書き込むべき情報が自動改札機から情報記録媒体に送信された後、情報記録媒体から当該情報が書き込まれた旨の信号を自動改札機が受信する前に両者の交信が途絶えたことをいい、換言すれば、自動改札機が情報記録媒体に対する情報の書き込みに失敗したことをいう。
【先行技術文献】
【特許文献】
【０００４】
【特許文献１】特開２００４−２２００６７号公報
【発明の概要】
【発明が解決しようとする課題】
【０００５】
ところで、情報記録媒体は利用者と共に移動することから、自動改札機が情報記録媒体に情報を送信している間に、すなわち、自動改札機による情報の書き込み途中で、情報記録媒体が自動改札機の通信エリアから外れることがあり、書込未了の発生を完全に防止することは困難である。そのため、従来の自動改札機においては、たとえ利用者の入出場を許可できるときであっても、ある程度の頻度でドアが閉じられる事態が発生する。
自動改札機のドアが閉じられると、その間は後続の利用者も改札通路を通行することができなくなり、結果として改札通路のおける利用者の円滑な通行を阻害する。一方、書込未了の場合にはドアを閉じないようにすることも考えられるが、書込未了が発生すると次回の入出場時に入出場状態が適正でないと判定されてドアが閉じられることになるから、結局のところ、改札通路における利用者の円滑な通行を阻害することになる。
【０００６】
本発明は、以上のような従来の問題点に着目してなされたものであり、ＩＣカード等の情報記録媒体を用いて入出場処理を行う自動改札システム又は自動改札機において、書込未了の発生によって改札通路における利用者の円滑な通行を阻害してしまうことを抑制することを目的とする。
【課題を解決するための手段】
【０００７】
本発明の一側面による自動改札システムは、情報記録媒体から読み取った情報に基づいて入出場処理を行う複数の自動改札機と、前記複数の自動改札機のそれぞれと情報の授受を行う管理サーバと、を含む自動改札システムであって、前記複数の自動改札機のそれぞれは、利用者の情報記録媒体から識別情報及び入出場データを読み取る情報読取手段と、前記情報読取手段によって読み取られた入出場データに基づいて利用者の入出場状態が適正であるか否かを判定し、利用者の入出場状態が適正であるときに利用者の通行を許可する判定手段と、前記判定手段によって通行が許可された利用者の情報記録媒体に新たな入出場データを書き込む情報書込手段と、前記情報書込手段による入出場データの書き込みに失敗したときに、書き込みに失敗して書込未了状態にある情報記録媒体の識別情報及び書き込みに失敗した入出場データである書込未了データを含む書込未了発生通知を前記管理サーバへと送信する一方、前記管理サーバから書込未了状態にある情報記録媒体の識別情報及び書込未了データを含む書込未了救済通知を受信する情報送受信手段と、
受信した前記書込未了救済通知に含まれる情報記録媒体の識別情報及び書込未了データを記録する情報記録手段と、を備え、前記判定手段は、前記情報読取手段によって読み取られた入出場データに基づいて利用者の入出場状態が適正でないと判定した場合において、前記情報読取手段によって読み取られた識別情報と一致する識別情報が前記情報記録手段に記録されているときには、前記情報読取手段によって読み取られた入出場データに代えて、前記情報記録手段に記録されている書込未了データに基づいて利用者の入出場状態が適正であるか否かを再判定し、前記管理サーバは、前記複数の自動改札機の少なくとも一つからの前記書込未了発生通知を受信すると、該書込未了発生通知に含まれた書込未了状態にある情報記録媒体の識別情報及び書込未了データを含む前記書込未了救済通知を前記複数の自動改札機の全部又は一部に送信する。
【０００８】
本発明の他の側面による自動改札機は、情報記録媒体から識別情報及び入出場データを読み取る情報読取手段と、前記情報読取部によって読み取られた入出場データに基づいて利用者の入出場状態が適正であるか否かを判定し、利用者の入出場状態が適正であると判定したときに利用者の通行を許可する判定手段と、前記判定手段により通行が許可された利用者の情報記録媒体に新たな入出場データを書き込む情報書込手段と、外部から入力された情報記録媒体の識別情報及び該識別情報に関連付けられた入出場データを記録する情報記録手段と、を備え、前記判定手段は、前記情報読取手段によって読み取られた入出場データに基づいて利用者の入出場状態が適正でないと判定した場合において、前記情報読取手段によって読み取られた識別情報と一致する識別情報が前記情報記録手段に記録されているときには、前記情報読取手段によって読み取られた入出場データに代えて、前記情報記録手段に記録されている書込未了データに基づいて利用者の入出場状態が適正であるか否かを再判定する。
【発明の効果】
【０００９】
前記自動改札機システム及び前記自動改札機によれば、入出場時に書込未了が発生した場合には次回の入出場時に前記書込未了に対する救済処理が実施されるので、書込未了が発生する度に利用者の通行を阻止する必要がない。これにより、書込未了の発生によって改札通路における利用者の円滑な通行を阻害することを大幅に抑制することができる。
【図面の簡単な説明】
【００１０】
【図１】本発明に実施形態による自動改札システムの概略構成を示す図である。
【図２】自動改札機の構成を示すブロック図である。
【図３】自動改札機の一例を示す斜視図である。
【図４】自動改札機が実行する入出場処理を示すフローチャートである。
【図５】自動改札機が実行する入出場処理を示すフローチャートである。
【図６】自動改札機が実行する入出場処理を示すフローチャートである。
【図７】管理サーバが実行する第１の処理（書込救済通知の作成及び送信処理）を示すフローチャートである。
【図８】自動改札機が実行する書込救済用データの記録処理を示すフローチャートである。
【図９】管理サーバが実行する第２の処理（救済完了通知の作成及び送信処理）を示すフローチャートである。
【図１０】自動改札機が実行する書込救済用データの消去処理を示すフローチャートである。
【発明を実施するための形態】
【００１１】
以下、添付図面を参照して本発明の実施形態ついて説明する。
図１は、本発明の一実施形態による自動改札システムの概略構成を示している。本実施形態による自動改札システムは、駅の集改札口に設置されて例えばＩＣカード１０（本発明の「情報記録媒体」に相当する）から読み取った情報に基づいて入出場処理を行う複数の自動改札機２と、複数の自動改札機２のそれぞれに接続されて各自動改札機２との間で情報の授受を行う管理サーバ３と、を備える。ここで、複数の自動改札機２は、それぞれが別々の駅に配置されてもよいし、その一部又は全部が同一の駅に配置されてもよい。
【００１２】
ＩＣカード１０は、自動改札機２から伝送される電力によって動作する非接触式のＩＣカードであり、図１に示すように、自動改札機２との間で無線通信を行う無線通信部１１と、各種情報を記録する記録部（メモリ）１２と、ＩＣカード１０の動作を制御する制御部１３と、を備える。
【００１３】
無線通信部１１は、自動改札機２（特に後述するＩＣカードリーダライタ２１ｂ）から送信された各種コマンドを受信して制御部１３に出力する。制御部１３は、受信したコマンドを処理し、該受信したコマンドに対する応答を作成する。作成された応答は、無線通信部１１を介して自動改札機２へと送信される。
記録部１２には、ＩＣカード１０を特定・識別するための識別情報、定期券区間、定期券の有効期間、自動改札機２によって書き込まれた入場又は出場情報（以下「入出場情報」という）及び電子通貨の残高などが記録される。ここで、前記入出場情報は入場時又は出場時に自動改札機２によってＩＣカード１０に書き込まれる情報であり、ＩＣカード１０の利用者が入場又は出場した駅に関する情報、入場日時又は出場日時に関する情報を含む。ここでは、最後（直近）に書き込まれた入出場情報が記録部１２に記録されているものとする。なお、図には一つの記録部１２が記載されているが、複数の記録部を備え、各情報が別々の記録部に記録されてもよい。
【００１４】
図２は、自動改札機２の構成を示すブロック図であり、図３は、自動改札機２の斜視図である。ここで、実際の駅の集改札口には、一対の自動改札機が所定の間隔をあけて前後逆向きに配置されて、該一対の自動改札機の間に形成される改札通路を利用者が双方向に通行できるようになっているが、図３には、一対の自動改札機のうちの一方の自動改札機２のみ、すなわち、利用者が図中の矢印方向へ通行するときに入出場処理を行う自動改札機２のみを示している。
【００１５】
図２、３に示すように、自動改札機２は、ＩＣカード１０との間で無線通信を行う無線通信部２１と、改札通路の入口側に設けられた開閉可能な第１ドア部２２と、改札通路の出口側に設けられた開閉可能な第２ドア部２３と、改札通路を通行する利用者を検知する通行検知センサ２４と、改札通路を通行する利用者に対する案内メッセージ等を表示する表示部２５と、異常発生時に警告音等を出力するスピーカ２６と、管理サーバ３との間で情報の授受を行う情報送受信部２７と、無線通信部２１及び／又は送受信部２７を介して受信（入力）された各種情報を記録する情報記録部２８と、自動改札機２の各種動作を制御する制御部２９と、を備える。
【００１６】
無線通信部２１は、ＩＣカード１０との間で無線通信を行ってＩＣカード１０から情報を読み取ると共にＩＣカード１０に情報を書き込むものであり、自動改札機２の改札通路の入口側の上面に設けられたアンテナ２１ａと、ＩＣカードリーダライタ（図２中「ＩＣ−Ｒ／Ｗ」と記す。）２１ｂと、を含む。図示は省略するが、アンテナ２１ａの上方の所定範囲が無線通信部２１（すなわち、自動改札機２）の通信エリアである。無線通信部２１（自動改札機２）は、この通信エリア内に位置するＩＣカード１０に対して情報の読み取り及び書き込みを行うことができる。第１ドア部２２、第２ドア部２３は、閉作動時に利用者の通行（改札機の通過）を阻止する。通行検知センサ２４は、例えば透過型フォトセンサであり、自動改札機２の内側面に所定の間隔で設けられ、利用者の有無や利用者の通過を検知することができる。
無線通信部２１、第２ドア部２３、表示部２５、スピーカ２６及び送受信部２７の作動は制御部２９によって制御され、第１ドア部２２の作動は、改札通路を挟んで配置された自動改札機、すなわち、前記一対の自動改札機のうちの他方の自動改札機（図示省略）の制御部によって制御される。
【００１７】
本実施形態による自動改札機２は、制御部２９による制御に基づいて例えば次のように作動する。
まず、自動改札機２は、その待機状態においては無線通信部２１を介してＩＣカード１０を捕捉するためのポーリングコマンドを一定周期で送出している。そして、ＩＣカード１０からポーリングコマンドに対する応答を受信することによって、通信エリア内に位置するＩＣカード１０を認識する。ＩＣカード１０を認識すると、自動改札機２は、無線通信部２１を介してＩＣカード１０に相互認証コマンドを送信し、ＩＣカード１０から相互認証コマンドに対する応答を受信することにより、該ＩＣカード１０との間で相互認証を行う。この相互認証は、特に限定されないが、例えば共通鍵暗号方式によって行われる。相互認証が行われると、自動改札機２は、無線通信部２１を介してＩＣカード１０からの情報の読み取り及びＩＣカード１０への情報の書き込みが可能になる。
【００１８】
その後、自動改札機２は、無線通信部２１を介してＩＣカード１０に記録されている情報の読み取りを行い、読み取った情報に基づいてＩＣカード１０を所持する利用者の通行を許可するか否かを判定する。かかる判定は制御部２９によって行われる。具体的には、制御部２９は、ＩＣカード１０から読み取った入出場情報や電子通貨の残高に基づいて利用者の通行を許可するか否かを判定する。
そして、判定の結果、利用者の通行を許可しない場合には、制御部２９は第２ドア部２３を閉作動させて利用者の通行を阻止すると共に、表示部２５に所定のメッセージを表示させ、スピーカ２６から警告音を出力させる。一方、利用者の通行を許可する場合には、制御部２９は無線通信部２１にＩＣカード１０への情報の書き込みを行わせる。ＩＣカード１０に書き込まれる情報は、例えば、新たな入出場情報や電子通貨の残高から利用料金を減算した残高（以下単に「減算後の残高」という。）である。
【００１９】
また、制御部２９は、ＩＣカード１０に対する前記新たな入出場情報や前記減算後の残高の書き込みに失敗した場合、すなわち、前記新たな入出場情報や前記減算後の残高についての書き込みコマンドをＩＣカード１０に送信した後、該書き込みコマンドに対する応答を受信する前にＩＣカード１０との交信が途絶えた場合には、書き込みの失敗、すなわち、書込未了が発生したと判定する。そして、書込未了が発生したと判定すると、制御部２９は、書込未了状態にあるＩＣカード１０の識別情報及び該ＩＣカード１０に対する書き込みに失敗した書込未了データを含む書込未了発生通知を作成し、情報送受信部２７を介して管理サーバ３４へと送信する。このとき、第２ドア部２３を閉作動させず、利用者の通行可能状態を保持する。
【００２０】
さらに、制御部２９は、管理サーバ３４から後述する書込未了救済通知を受信すると、該書込未了救済通知に含まれたＩＣカードの識別情報及び書込未了データ（以下これらを「書込救済用データ」という。）を情報記録部２８に記録し、入出場処理時に情報記録部２８に記録された情報を用いて書込未了救済処理を実行する。そして、書込未了救済処理を実行すると、救済処理を行ったＩＣカードの識別情報を含む救済処理実行通知を作成し、情報送受信部２７を介して管理サーバ３４へと送信する。
したがって、本実施形態による自動改札機２において、無線通信部２１（更に言えば、ＩＣカードリーダライタ２１ｂ）が本発明における「情報読取手段」及び「情報書込手段」に相当し、制御部２９が本発明における「判定手段」に相当し、情報送受信部２７が本発明における「情報送受信手段」に相当し、情報記録部２８が本発明における「情報記憶手段」に相当する。また、表示部２５及びスピーカ２６が本発明の「報知手段」に相当し、第２ドア部２３が本発明の「ドア部」に相当し、制御部２９が本発明の「ドア制御手段」に相当する。
【００２１】
図１に戻って、管理サーバ３は、各自動改札機２の処理データ等を管理するとともに入出場処理に必要な情報を各自動改札機２に提供するものであり、図１に示すように、各自動改札機２との間で情報の授受を行う情報送受信部３１と、入出場処理に必要な情報を含む各種情報を記録する情報記録部３２と、管理サーバ３の動作を制御する制御部３３と、を備える。
そして、管理サーバ３は、複数の自動改札機２の少なくとも一つから前記書込未了発生通知を受信すると、該書込未了発生通知に含まれた書込未了状態にあるＩＣカード１０の識別情報及び書込未了データを救済用データとして含む書込未了救済通知を作成し、この書込未了救済通知を複数の自動改札機２の全てに送信して、複数の自動改札機２のいずれかに書込未了救済処理を実行させる。
【００２２】
次に、以上のように構成された自動改札システムにおいて実行される各処理についてフローチャートを用いて説明する。
図４〜図６は、自動改札機２において実行される入出場処理を示すフローチャートであり、待機状態において一定周期で送出するポーリングコマンドに対する応答をＩＣカードから受信すると開始される。
図４〜図６において、ステップＳ１ではＩＣカードを検知する。すなわち、無線エリア内に入ったＩＣカードからポーリングコマンドに対する応答を受信すると、ＩＣカードが通信エリア内に入ったことを検知する。
【００２３】
ステップＳ２では、検知したＩＣカードとの間で相互認証を実施する。この相互認証は、例えば、自動改札機２が無線通信部２１を介してＩＣカードへと相互認証コマンドを送信し、送信した相互認証コマンドに対する応答をＩＣカードから受信することによって行われる。上述したように、相互認証が行われた後、自動改札機２はＩＣカードからの情報の読み取り及びＩＣカードに対する情報の書き込みを行うことができる。
【００２４】
ステップＳ３では、ＩＣカードに記録されている情報を読み取る。この情報の読取りは、自動改札機２が無線通信部２１を介してＩＣカードへと読出しコマンドを送信し、この読出しコマンドを受信したＩＣカード１０がメモリ１２の指定アドレスから情報を読み出して自動改札機２へと送信することによって行われる。ここでは、ＩＣカード１０に記録されている識別情報、入出場情報及び電子通貨の残高を読み取る。
【００２５】
ステップＳ４では、ＩＣカードを所持している利用者の入出場状態が適正か否かを判定する。かかる判定はステップＳ３で読み取った情報に基づいて行い、入出場シーケンスが正常であり、かつ、電子通貨の残高が利用料金以上である場合には利用者の入出場状態が適正であると判定し、入出場シーケンスが異常である場合又は電子通貨の残高が前記利用料金未満である場合には利用者の入出場状態が適正でないと判定する。なお、自動改札機２は、入出場状態が適正であれば利用者の通行を許可し、入出場状態が適正でなければして利用者の通行を許可しない。
ここで、入出場シーケンスが異常である場合とは、例えば出場情報が記録されていないＩＣカードで入場しようとする場合や入場情報が記録されていないＩＣカードで出場しようとする場合のことである。また、前記利用料金としては、例えば入場駅から出場駅までの区間運賃や最小区間運賃が該当する。なお、本実施形態において、出場駅の自動改札機２は前記電子通貨の残高と前記区間運賃とを比較し、入場駅の自動改札機２は前記電子通貨の残高と前記最小区間運賃とを比較する。
そして、利用者の入出場状態が適正であればステップＳ５に進み、利用者の入出場状態が適正でなければステップＳ８（図５）に進む。
【００２６】
ステップＳ５では、新たな入出場情報とステップ３で読み取った電子通貨の残高から前記利用料金を減算した減算後の残高とをＩＣカードに書き込む。このＩＣカードへの情報の書き込みは、自動改札機２が無線通信部２１を介してＩＣカードへと書き込みコマンドを送信することにより行われる。なお、本ステップにおける前記減算後の残高の書き込みは、通常、出場駅の自動改札機２によって行われる。
【００２７】
ステップＳ６では、ＩＣカードへの情報の書き込みが完了したか否かを判定する。前記送信した書き込みコマンドに対する応答をＩＣカードから受信すると、該ＩＣカードへの情報の書き込みが完了したと判定してステップＳ７に進んで待機状態に戻る。一方、前記送信した書き込みコマンドに対する応答を受信する前に該ＩＣカードとの交信が途絶える（ＩＣカードが通信エリア外に移動する）と、書込未了が発生したと判定してステップＳ１７（図６）に進む。
【００２８】
ステップＳ８（図５）では、情報記録部２８に書込救済用データが記録されているか否かを判定する。上述したように、書込救済用データは、管理サーバ３から受信した書込未了救済通知に含まれていた、書込未了状態にあるＩＣカードの識別情報及び書込未了データであり、これらは互いに関連付けられた情報記録部２８に記録される。そして、少なくとも一つの書込救済用データが情報記録部２８に記録されている場合にはステップＳ９に進み、記録されていない場合ステップＳ１６に進む。
【００２９】
ステップＳ９では、ＩＣカード識別情報の照合を行う。すなわち、ステップＳ３で読み取った識別情報と、情報記録部２８内に記録されている識別情報とを比較する。
ステップＳ１０では、ステップＳ３で読み取った識別情報と一致する識別情報が情報記録部２８内に記録されているか否かを判定する。そして、ステップＳ３で読み取った識別情報と一致する識別情報が情報記録部２８内に記憶されていればステップＳ１１に進み、情報記録部２８内に記録されていなければステップＳ１６に進む。
【００３０】
ステップＳ１１では、ステップＳ３で読み取った識別情報と一致する識別情報に関連付けられている書込未了データを情報記録部２８から読み出す。読み出される書込未了データは、新たな入出場情報、又は、新たな入出場情報と減算後の残高との両方である。
【００３１】
ステップＳ１２では、利用者の入出場状態が適正であるか否かを再判定する。かかる再判定はステップＳ１１で読み出した書込未了データに基づいて行う。すなわち、ステップＳ４における判定はステップＳ３でＩＣカードから読み取った情報に基づいて行うが、本ステップにおける判定はステップＳ３でＩＣカードから読み取った情報に代えて情報記録部２８内に記録されている書込未了データに基づいて行う。
そして、再判定の結果、利用者の入出場状態が適正であればステップＳ１３に進み、利用者の入出場状態が適正でなければステップＳ１６に進む。
【００３２】
ステップＳ１３では、新たな入出場情報と書込未了データ内の電子通貨の残高から前記利用料金を減算した減算後の残高とをＩＣカードに書き込む。このＩＣカードへの情報の書き込みは、ステップＳ５と同様、ＩＣカードに書き込みコマンドを送信することにより行う。なお、本ステップにおける前記減算後の残高の書き込みについては、通常、入場駅の自動改札機によって行われる。
【００３３】
ステップＳ１４では、ＩＣカードへの情報の書き込みが完了したか否かを判定する。前記送信した書き込みコマンドに対する応答をＩＣカードから受信すると、該ＩＣカードへの情報の書き込みが完了したと判定してステップＳ１５に進む。一方、前記送信した書き込みコマンドに対する応答を受信する前に該ＩＣカードとの交信が途絶える（ＩＣカードが通信エリア外に移動する）と、書込未了が発生したと判定してステップＳ１７（図６）に進む。
【００３４】
ステップＳ１５では、救済処理通知を作成して管理サーバ３に送信する。この救済処理通知は、書込未了状態にあったＩＣカードに対する書込未了救済処理を実行したことを示すものであり、書込未了データに基づく再判定によって利用者の入出場状態が適正であると判定されたＩＣカード、すなわち、救済されたＩＣカードの識別情報を含む。そして、救済処理通知を管理サーバ３に送信した後、ステップＳ７に進んで自動改札機２は待機状態に戻る。
【００３５】
ステップＳ１６では、利用者の通行を阻止する。本実施形態においては、第２ドア部２３を閉じると共に、表示部２４には所定のメッセージを表示し、スピーカ２６から所定の警告音を出力する。なお、この通行阻止状態は、例えば駅員によって解除されるまで継続される。
【００３６】
ステップＳ１７（図６）では、書込未了が発生したこと、すなわち、ＩＣカードへの情報の書き込みに失敗したことを利用者に報知する。具体的には、ＩＣカードを通信エリア内に再度位置させることを要求するメッセージ（再かざし要求メッセージ）を表示部２５に表示すると共に、所定の警告音をスピーカ２６から出力する。なお、ここでは第２ドア部２３を閉じないので、利用者は自動改札機２を通過することが可能である。
【００３７】
ステップＳ１８では、ポーリングコマンドと相互認証コマンドとを交互に送出する。すなわち、書き込みに失敗して書込未了状態にあるＩＣカードとの間の相互認証と、後続の利用者のＩＣカードの捕捉とを並行して行う。これは、書込未了状態にあるＩＣカードが通信エリア内に再度位置された場合に、該ＩＣカードに対して書き込みに失敗した情報（ステップＳ５又はステップＳ１３を参照）の再書き込みを行えるようにしつつ、別の利用者の所持するＩＣカードの捕捉を行えるようにすることで、自動改札機２における処理効率を向上させるためである。
【００３８】
ステップＳ１９では、書込未了状態にあるＩＣカードから相互認証コマンドに対する応答を受信したか否かを判定する。そして、相互認証コマンドに対する応答を受信した場合にはステップＳ２０に進み、相互認証コマンドに対する応答を受信しない場合にはステップＳ２１に進む。なお、相互認証コマンドに対する応答を受信するか否かにかかわらず、ポーリングコマンドに対する応答を新たなＩＣカードから受信した場合には、自動改札機２は当該新たなＩＣカードに対して本フローと同じ処理を並行して行うことになる。
【００３９】
ステップＳ２０では、書込未了状態にあるＩＣカードに対して書き込みに失敗した情報の再書き込みを行う。この場合、利用者は情報の書き込みに失敗したことを認識しているので、情報の再書き込みに失敗することはほとんどない。そして、情報の再書き込みを行った後、ステップＳ７に進んで自動改札機２は待機状態に戻る。
【００４０】
ステップＳ２１では、利用者が自動改札機２を通過したか否かを判定する。この判定は通行検知センサ２４の出力に基づいて行い、利用者が自動改札機２を通過した場合にはステップＳ２２に進む。一方、利用者が自動改札機２を通過していない場合にはステップＳ１７に戻って、書込未了発生の報知及びポーリングコマンドと相互認証コマンドとの交互送出を継続する。
【００４１】
ステップＳ２２では、書込未了発生通知を作成し、情報送受信部２７を介して管理サーバ３へと送信する。上述したように、書込未了発生通知は、情報の書き込みに失敗して書込未了状態にあるＩＣカードの識別情報及び該ＩＣカードに対する書き込みに失敗した書込未了データを含む。そして、書込未了発生通知を管理サーバ３に送信した後、ステップＳ７に進んで自動改札機２は待機状態に戻る。
【００４２】
図７は、管理サーバ３によって実行される第１の処理を示すフローチャートである。この第１の処理は、書込未了状態にあるＩＣカードを救済する書込未了救済指令を各自動改札機２に出力するものであり、複数の自動改札機２の少なくとも一つから書込未了発生通知（図６のステップＳ２２を参照）を受信すると開始される。
図７において、ステップＳ３１では、受信した書込未了発生通知からＩＣカードの識別情報及び書込未了データを抽出する。
ステップＳ３２では、ステップＳ３１で抽出したＩＣカードの識別情報及び書込未了データを書込救済用データとして含む書込未了救済通知を作成する。この書込未了救済通知はＩＣカードの識別情報毎に作成され、自動改札機２に対する書込未了救済指令として機能する。
ステップＳ３３では、作成した書込未了救済通知を複数の自動改札機２の全てに送信する。
【００４３】
図８は、自動改札機２における書込救済用データの記録処理を示すフローチャートであり、管理サーバ３から書込未了救済通知（図７のステップＳ３３を参照）を受信すると開始される。
図８において、ステップＳ４１では、受信した書込未了救済通知に含まれる書込救済用データ、すなわち、書込未了状態にあるＩＣカードの識別情報及びその書込未了データを抽出する。
ステップＳ４２では、ステップＳ４１で抽出した書込救済用データを情報記録部２８内に記録する。ここで、すでに同一の識別情報を有する書込救済用データが情報記録部２８内に存在する場合には、当該データを更新する。
これにより、自動改札機２は、入出場処理の際に情報記録部２８内に記録された書込救済用データに基づく処理（図５を参照）が可能になり、書込未了状態にあるＩＣカードに対する救済処理を実行できる。
【００４４】
図９は、管理サーバ３によって実行される第２の処理を示すフローチャートである。この第２の処理は、前記書込未了救済指令を解除する解除指令を各自動改札機２に出力するものであり、複数の自動改札機２の少なくとも一つから救済処理通知（図５のステップＳ１５を参照）を受信すると開始される。
図９において、ステップ５１では、受信した救済処理通知に含まれるＩＣカード、すなわち、救済されたＩＣカードの識別情報を抽出する。
ステップＳ５２では、ステップＳ５１で抽出したＩＣカードの識別情報を含む救済完了通知を作成する。この救済完了通知は、自動改札機２に対する書込未了救済指令を解除する解除指令として機能する。
ステップＳ５３では、作成した救済完了通知を複数の自動改札機２の全てに送信する。
【００４５】
図１０は、自動改札機２における書込救済用データの消去処理を示すフローチャートであり、管理サーバ３から救済完了通知（図９のステップＳ５３を参照）を受信すると開始される。
図１０において、ステップＳ６１では、受信した救済完了通知に含まれるＩＣカードの識別情報、すなわち、救済されたＩＣカードの識別情報を抽出する。
ステップＳ６２では、ステップＳ６１で抽出したＩＣカードの識別情報と一致する識別番号を有する書込救済用データを消去（クリア）する。
【００４６】
以上説明した自動改札システム（自動改札機）によれば、次のような効果を有する。
自動改札機によるＩＣカードへの書き込みに失敗して書込未了が発生した場合であっても、自動改札機はドアを閉じない（利用者の通行を阻害しない）ので、書込未了の発生によって改札通路における利用者の円滑な通行を阻害することがない。
【００４７】
書込未了状態のままで自動改札機を通過した場合であっても、次回の入出場時において救済処理（すなわち、通行許否の再判定及び書込未了データの書き込み）が実施されるので、書込未了の発生により次回の入出場時に通行が許可されないケースを低減することができる。これにより、書込未了の発生が改札通路における円滑な通行の阻害要因となることを大幅に抑えることができる。
【００４８】
書込未了が発生した場合には、その旨を報知すると共に相互認証コマンドとポーリングコマンドとを交互に送出するようにしたので、利用者がＩＣカードを再度通信エリア内に位置させたときに情報の再書き込みを行うことを可能としつつ、次の利用者のＩＣカードに対する処理も開始することができる。
【００４９】
管理サーバは書込未了救済通知及び救済完了通知を全ての自動改札機に送信するので、書込未了が発生した駅の自動改札機はもちろん、書込未了が発生した駅とは異なる駅の自動改札機によって書込未了の救済処理を実施することができる共に、複数の自動改札機によって同じ救済処理が実施されてしまうことを防止できる。
【００５０】
なお、上述した実施形態においては情報記録媒体としてＩＣカードを用いているが、ＩＣカード機能付き携帯端末機を用いてもよいことはもちろんである。
また、上述した実施形態においては、自動改札機が管理サーバに送信する書込未了発生通知及び管理サーバが自動改札機に送信する書込未了救済通知には、書込未了状態にあるＩＣカードの識別情報及び書き込みに失敗した書込未了データが含まれている。但し、これに限るものではなく、前記両通知が、例えば書き込みに失敗した日時をさらに含むようにしてもよい。このようにすると、ＩＣカードから読み取った入出場情報と書き込みに失敗した日時とを比較することにより、誤って救済処理を実施してしまうことを効果的に防止することができる。
【００５１】
さらに、上述した実施形態においては、ＩＣカードから読み取った入出場情報及び電子通貨の残高に基づいて利用者の入出場状態（利用者の通行を許可するか否か）を判定している。しかし、ＩＣカードが定期券として使用されている場合などにおいてはＩＣカードから読み取った入出場データにのみに基づいて利用者の入出場状態を判定してもよい。この場合には、上述した実施形態における電子通貨の残高に関する処理が不要となる。すなわち、本発明における「入出場データ」には、入出場情報と電子通貨の残高との両方を含む場合と、入出場情報のみを含む場合と、が含まれている。
【００５２】
さらにまた、上述した実施形態においては、管理サーバが書込未了救済通知及び救済完了通知を複数の自動改札機の全てに送信しているが、複数の自動改札機の一部に送信するようにしてもよい。例えば、管理サーバがＩＣカードの識別情報毎に利用駅の情報を格納する機能を備え、利用頻度が高い（判定しきい値以上）駅に配置されている自動改札機のみに書込未了救済通知を送信したり、利用実績のない駅に配置されている自動改札機以外の自動改札機には書込未了救済通知を送信しないようにしたりするようにしてもよい。このようにすると、自動改札機は、必要以上に多くの情報を記録しておく必要がなく、書込未了に対する救済処理を効率的に行うことができる。
【符号の説明】
【００５３】
２…自動改札機、３…管理サーバ、１０…ＩＣカード、２１…無線通信部、２２…第１ドア部、２３…第２ドア部、２４…通行検知センサ、２５…表示部、２６…スピーカ、２７…情報送受信部、２８…情報記録部、２９…制御部
【図１】
2012022591.tif 000003
【図２】
2012022591.tif 000004
【図３】
2012022591.tif 000005
【図４】
2012022591.tif 000006
【図５】
2012022591.tif 000007
【図６】
2012022591.tif 000008
【図７】
2012022591.tif 000009
【図８】
2012022591.tif 000010
【図９】
2012022591.tif 000011
【図１０】
2012022591.tif 000012